(57)【要約】【課題】見栄の良い、高級感のある外観を創出することができ、しかも、優れた吸音性能を有し、特に、オフィスビルのホール、コンサートホール、公共施設、学校、病院、図書館等の静粛性が要求される建物の天井に用いるのに好適な吸音性天井材及びそれを用いた吸音性天井の構築方法を提供することを課題とする。【解決手段】任意の模様や色柄を印刷した樹脂製化粧フィルム２と薄手のメタルプレート３とを積層した基板１を設け、基板１の少なくとも両側辺を立ち上げて側壁５、５ａを形成し、側壁５、５ａの内側に、側壁５、５ａと同じかそれ以上の高さの断熱・吸音材７を装填して成り、化粧フィルム２とメタルプレート３には、互いに連通するピンホール４、４ａが全面に亘って透設される。【選択図】図１
2015214800.tif 000002
【特許請求の範囲】
【請求項１】
任意の模様や色柄を印刷した樹脂製化粧フィルムと薄手のメタルプレートとを積層した基板を設け、前記基板の少なくとも両側辺を立ち上げて側壁を形成し、前記側壁の内側に、前記側壁と同じかそれ以上の高さの断熱・吸音材を装填して成り、前記化粧フィルムと前記メタルプレートには、互いに連通するピンホールが全面に亘って透設されていることを特徴とする吸音性天井材。
【請求項２】
前記ピンホールの孔径は、０．５〜１ｍｍである、請求項１に記載の吸音性天井材。
【請求項３】
前記メタルプレートは、０．６±０．２ｍｍの厚さのアルミニウム合金板である、請求項１又は２に記載の吸音性天井材。
【請求項４】
前記側壁を前記基板の四辺に形成した、請求項１乃至３のいずれかに記載の吸音性天井材。
【請求項５】
前記側壁の上端部に外向きのフランジを形成した、請求項１乃至４のいずれかに記載の吸音性天井材。
【請求項６】
前記基板をスパンドレル形状に成形した、請求項１に記載の吸音性天井材。
【請求項７】
請求項１乃至４のいずれかに記載の吸音性天井材を用いた吸音性天井の構築方法であって、前記吸音性天井材を多数、その断熱・吸音材の上面を先行設置したボードに接着していくことを特徴とする吸音性天井の構築方法。
【請求項８】
前記ボードに前記吸音性天井材を多数、隙間なく接着していく、請求項７に記載の吸音性天井の構築方法。
【請求項９】
前記ボードに前記吸音性天井材を多数、適宜隙間を設けて接着していく、請求項７に記載の吸音性天井の構築方法。
【請求項１０】
前記隙間にジョイナーを挟み込む、請求項９に記載の吸音性天井の構築方法。
【請求項１１】
請求項５に記載の吸音性天井材を用いた吸音性天井の構築方法であって、前記吸音性天井材を多数、前記フランジをライン状に配した受け材上に載せ置くことで配置していくことを特徴とする吸音性天井の構築方法。
【請求項１２】
請求項５に記載の吸音性天井材を用いた吸音性天井の構築方法であって、前記吸音性天井材を多数、前記フランジを格子状に配した受け材上に載せ置くことで配置していくことを特徴とする吸音性天井の構築方法。
【発明の詳細な説明】
【技術分野】
【０００１】
本発明は吸音性天井材及びそれを用いた吸音性天井の構築方法に関するものであり、より詳細には、コンサートホール、公共施設、学校、病院、図書館、会社の会議室、一般住宅等の天井用のパネルであって、見栄えがよく且つ吸音性能に優れた吸音性天井材及びそれを用いた吸音性天井の構築方法に関するものである。
【背景技術】
【０００２】
従来、オフィスビルのホール、コンサートホール、公共施設、学校、病院、図書館等の天井には、留め付けビスが隠れるように成形された金属化粧板であるスパンドレルや、システム天井が多く用いられている。一般にシステム天井には、格子に組んだスチール製Ｔバー上に、正方形に形成したロックウール製等のボードを載置するタイプと、同一方向にライン状に組んだスチール製Ｔバー上に、長尺に形成したロックウール製等のボードを載置するタイプとがある。
【０００３】
上記従来の天井材のうち、スパンドレルは比較的見栄え良く、高級感を醸し出すことが可能であるが、吸音性についての配慮に欠けるため、特に静粛が要求される上記建物の天井材としては適さない。一方、システム天井の場合は、ある程度の吸音性能があるものの、決して十分なものではなく、また、デザインが単調なものとなるため、見栄の良い、高級感のある外観を創出することは困難である。
【先行技術文献】
【特許文献】
【０００４】
【特許文献１】特開２００１−１３２１３２号公報
【特許文献２】特開２００１−６５０７７号公報
【特許文献３】実開昭５４−９８０１４号公報
【発明の概要】
【発明が解決しようとする課題】
【０００５】
上述したように、従来の天井材のうち、スパンドレルの場合は吸音性に欠けるため、特に静粛が要求される建物の天井材には適さないという欠点があり、システム天井の場合は、吸音性能が不十分で、デザインが単調なため、見栄の良い、高級感のある外観を創出することが困難という問題があった。
【０００６】
そこで本発明は、見栄の良い、高級感のある外観を創出することができ、しかも、優れた吸音性能を有し、特に、オフィスビルのホール、コンサートホール、公共施設、学校、病院、図書館等の静粛性が要求される建物の天井に用いるのに好適で、不燃性を有する吸音性天井材及びそれを用いた吸音性天井の構築方法を提供することを課題とする。
【課題を解決するための手段】
【０００７】
上記課題を解決するための請求項１に記載の発明は、必要に応じて任意の模様や色柄を印刷した樹脂製化粧フィルムと薄手のメタルプレートとを積層した基板を設け、前記基板の少なくとも両側辺を立ち上げて側壁を形成し、前記側壁の内側に、前記側壁と同じかそれ以上の高さの断熱・吸音材を装填して成り、前記化粧フィルムと前記メタルプレートには、互いに連通するピンホールが全面に亘って透設されていることを特徴とする吸音性天井材である。
【０００８】
一実施形態においては、前記ピンホールの孔径は、０．５〜１ｍｍでとされ、また、前記メタルプレートは、０．６±０．２ｍｍの厚さのアルミニウム合金板とされる。
【０００９】
一実施形態においては、前記側壁は前記基板の四辺に形成され、また、前記側壁の上端部に外向きのフランジが形成される。また、他の実施形態においては、前記基板がスパンドレル形状に成形される。
【００１０】
上記課題を解決するための請求項７に記載の発明は、請求項１乃至４のいずれかに記載の吸音性天井材を用いた吸音性天井の構築方法であって、前記吸音性天井材を多数、その断熱・吸音材の上面を先行設置したボードに接着していくことを特徴とする。その際、前記ボードに前記吸音性天井材を多数、隙間なく接着していく場合と、適宜隙間を設けて接着していく場合とがある。後者の場合、設けた隙間にジョイナーを介在させることが好ましい。
【００１１】
上記課題を解決するための請求項１１に記載の発明は、請求項５に記載の吸音性天井材を用いた吸音性天井の構築方法であって、前記吸音性天井材を多数、前記フランジをライン状に配した受け材上に載せ置くことで配置していくことを特徴とする吸音性天井の構築方法である。
【００１２】
また、上記課題を解決するための請求項１２に記載の発明は、請求項５に記載の吸音性天井材を用いた吸音性天井の構築方法であって、前記吸音性天井材を多数、前記フランジを格子状に配した受け材上に載せ置くことで配置していくことを特徴とする吸音性天井の構築方法である。
【発明の効果】
【００１３】
上述したように本発明に係る吸音性天井材は、必要に応じて任意の模様や色柄を印刷した樹脂製化粧フィルムと薄手のメタルプレートとを積層し、化粧フィルムからメタルプレートにかけて互いに連通するピンホールを全面に亘って透設した基板を設け、その基板の少なくとも両側辺を立ち上げて側壁を形成し、側壁の内側に、側壁と同じかそれ以上の高さの断熱・吸音材を装填して成るので、化粧フィルムとして、木目その他任意の模様や色柄等を表現したものを用いることで、従来にない見栄えの良い天井を構築することができ、また、化粧フィルムは、メタルプレートに裏打ちされるために十分な表面強度が得られ、且つ、十分な保形力が確保される効果がある。
【００１４】
また、化粧フィルムに穿設されるピンホールは、孔径が０．５〜１ｍｍであって、天井に配置された場合には視認不可状態となるので、ピンホールの存在によって見た目が損なわれることは皆無となり、また、室内の騒音、雑音は無数のピンホールから吸収され、その上の断熱・吸音材に取り込まれて消音されるので、本発明に係る吸音性天井材は、特にコンサートホール、公共施設、学校、病院、図書館、会社の会議室その他、消音が必要な室内の天井材として好適であり、更に、その構成素材からして不燃性を具備するという効果がある。
【図面の簡単な説明】
【００１５】
【図１】本発明に係る吸音性天井材の第１の実施形態の中間省略斜視図である。
【図２】本発明に係る吸音性天井材の第２の実施形態の中間省略斜視図である。
【図３】本発明に係る吸音性天井材の第１の実施形態の施工例を示す部分省略斜視図である。
【図４】本発明に係る吸音性天井材の第１の実施形態の別の施工例を示す縦断面図である。
【図５】本発明に係る吸音性天井材の第３の実施形態の正面図である。
【図６】本発明に係る吸音性天井材の構造を示す縦断面図である。
【発明を実施するための形態】
【００１６】
以下に、本発明を実施するための種々の形態につき、添付図面に依拠して説明する。本発明に係る吸音性天井材Ａは、任意の模様や色柄を印刷した樹脂製化粧フィルム２と薄手のメタルプレート３とを積層し、化粧フィルム２からメタルプレート３にかけて互いに連通するピンホール４、４ａを全面に亘って透設した基板１を設け、その基板１の少なくとも両側辺を立ち上げて側壁５、５ａを形成し、側壁５、５ａの内側に、側壁５、５ａと同じかそれ以上の高さの断熱・吸音材７を装填して成るものである。図示した例では、断熱・吸音材７は、側壁５、５ａよりも高いものとされている。
【００１７】
表層となる、換言すれば、人目に晒されることになる化粧フィルム２は、木目模様その他種々多様の任意の模様や色柄表現等の印刷が可能なものである。この化粧フィルム２としては、例えば、グラビア印刷可能な、厚さ０．１７ｍｍ以下の塩化ビニル樹脂系フィルムが用いられる。この化粧フィルム２が、アクリル樹脂系粘着剤等の粘着層１０を介してメタルプレート３に合着される（図６参照）。メタルプレート３としては、例えば、厚さ０．６ｍｍ前後、即ち、０．６±０．２ｍｍの薄手のアルミニウム合金板が用いられる。
【００１８】
化粧フィルム２とメタルプレート３には、互いに連通し合うピンホール４、４ａがその全面に亘って透設される。各ピンホール４、４ａは、化粧フィルム２とメタルプレート３の合着前にそれぞれに透設しておき、ピンホール４とピンホール４ａを合わせて合着することとしてもよいが、合着後に化粧フィルム２からメタルプレート３にかけて穿孔する方法の方が効率的である。
【００１９】
なお、ピンホール４、４ａは、目立たないサイズ、即ち、０．５〜１ｍｍ程度の微小孔であって、定間隔（例えば、４ｍｍ）置きに又はランダムに穿設される。孔径がこのレベルであると、天井面に配設された場合、その表面に施される模様や色柄表現等に関係なく、ほとんど視認することができないものとなる（図面上は、その存在を明確にするために実際よりも大きく表示してある。）。
【００２０】
側壁５、５ａは必ずしも垂直である必要はなく、その一方又は双方を外方に傾けて形成することで、両側壁５、５ａが上方において拡開する形状とすることもできる。また、第２の実施形態においては、側壁５、５ａの上端部を外方に折曲延長して、外向きのフランジ６が形成される（図２参照）。
【００２１】
断熱・吸音材７は、側壁５、５ａ間に密に収まる、グラスウール（ロックウール）、発泡樹脂等の厚みが２５ｍｍ程度の断面四角形（あるいは台形）の長尺成型体で、側壁５、５ａの内側に接着固定される。
【００２２】
第３の実施形態においては、基板１がスパンドレル形状に成形される（図５）。即ち、一方の側の側壁５上端に、水平方向に伸びる差し込み板８が形成され、他方の側の側壁５ａに、差し込み板８を受け入れて係止する係止部９が形成される。この第３の実施形態の場合は、１つの基板１の差し込み板８を隣の基板１の係止部９に差し込んで係止させる方法で、横に連結していく。
【００２３】
次いで、上記のような構成の吸音性天井材Ａを用いた本発明に係る吸音性天井の構築方法について説明する。先ず、図１に示される第１の実施形態の吸音性天井材Ａを用いる場合は、その断熱・吸音材７の上面を、常法により先行設置したプラスターボード等のボード１１に直接、室内側から接着固定するという方法で、次々と固定していく。その場合、隣接する吸音性天井材間は、隙間なく密に固定していく方法（図３参照）と、適宜隙間を設けて固定していく方法（図４参照）とがある。
【００２４】
但し、第１の実施形態における吸音性天井材Ａを隙間を設けて固定していくと、ボード１１が露見して見た目が悪くなるおそれがある。そこで、例えば、断面Ｔ字型のジョイナー１３を用意し、これを吸音性天井材Ａ間に挟み込むようにすることが好ましい（図４参照）。そのようにすることにより、ジョイナー１３によって隙間が閉塞されるため、ボード１１が露見して見た目を悪くすることがなくなる。
【００２５】
また、第２の実施形態の吸音性天井材Ａを用いてこの方法を実施する場合は、必然的にフランジ６の幅分の間隔が開くことになってフランジ６が露見することになるが、フランジ６は吸音性天井材Ａの一部であるため、何ら外観を損ねることにはならない。なお、フランジ６を設ける第２の実施形態の吸音性天井材Ａを用いる場合は、隣接する吸音性天井材Ａのフランジ６同士を重ね合わせることとする。
【００２６】
更に、第２の実施形態の吸音性天井材Ａを用いる場合は、そのフランジ６を、ライン状に並設した受け材１２上に載置していく方法で、多数の吸音性天井材Ａを次々と設置していくことができる。受け材１２は、一般に行われている、所謂Ｔバーを用いる方法で吊り下げて組んでいくことができる。また、受け材１２は格子状に組むこともあり、その場合は、吸音性天井材Ａとして、四辺に側壁５、５ａを設け、且つ、フランジ６を設けたものを用いることになる。なお、図５に示すスパンドレル形状とした吸音性天井材Ａの場合の施工方法は、上述したとおりである。
【００２７】
以上いずれの実施形態の場合においても、人目に晒される表層を構成する化粧フィルム２は、木目その他任意の模様や色柄等を表現し、場合によっては天井画を表現することも可能であり、予め種々のものを用意しておいて用途に合わせて選択することができるだけでなく、その都度所望の模様や色柄に印刷して用いることも可能であるため、多品種小ロット施工に適するものとなる。
【００２８】
また、化粧フィルム２に穿設されるピンホール４は、孔径が０．５〜１ｍｍ程度の微小孔であって、近距離においても熟視しないと視認できず、ましてや、かなり上方に位置することになる天井に配置された場合には視認不可状態となる。従って、ピンホール４の存在によって見た目が損なわれることは皆無となる。更に、ピンホール５は、微小孔であるために埃が溜まりにくく、衛生的なものとなる。
【００２９】
そして、この化粧フィルム２はメタルプレート３に張着されるため、十分な表面強度が得られ、且つ、十分な保形力が確保される。また、室内の騒音、雑音は無数のピンホール４、４ａから吸収され、その上の断熱・吸音材７に取り込まれて消音される。従って、本発明に係る吸音性天井材Ａは、特にコンサートホール、公共施設、学校、病院、図書館、会社の会議室その他、消音が必要な室内の天井用パネルとして好適なものとなり、更に、その構成素材からして不燃性を具備したものとなる。
【００３０】
なお、吸音孔が、本発明におけるピンホール４、４ａのように孔径が１ｍｍ以下の微小孔である場合は、それよりも孔径の大きい吸音孔の場合に比較して、より広い帯域において消音効果を発揮することが知られているところからして、本発明に係る吸音性壁面材は、非常に優れた消音効果を発揮するであろうことを容易に窺い知ることができよう。
【００３１】
この発明をある程度詳細にその最も好ましい実施形態について説明してきたが、この発明の精神と範囲に反することなしに更に異なる実施形態を構成することができることは言うまでもない。従って、この発明は、添付請求の範囲において限定した以外はその特定の実施形態に制約されるものではない。
【符号の説明】
【００３２】
Ａ      吸音性天井材
１      基板
２      化粧フィルム
３      メタルプレート
４、４ａ  ピンホール
５、５ａ  側壁
６      フランジ
７      断熱・吸音材
８      差し込み板
９      係止部
１０      粘着層
１１      ボード
１２      受け材
１３      ジョイナー
【図１】
2015214800.tif 000003
【図２】
2015214800.tif 000004
【図３】
2015214800.tif 000005
【図４】
2015214800.tif 000006
【図５】
2015214800.tif 000007
【図６】
2015214800.tif 000008